(57)【要約】【課題】汚れを抑制できると共に清掃を行ない易い、手洗い装置およびそれを用いた便器装置を提供する。【解決手段】手洗い装置１は、給水源９０から供給された水に混合するための除菌物質を生成する生成装置５を備える。供給水路４は、可撓性を有し、スパウト部３を手洗い本体２から取り外すと手洗い本体２から引き出されるよう構成された延出部４３１を有する。手洗い装置１では、給水源９０からの水に生成装置５で生成された除菌物質を混合させない手洗い水と、給水源からの水に生成装置５で生成された除菌物質を混合させる除菌水と、のいずれかをスパウト部３に供給する。さらに、手洗い装置１は、手洗い本体２から取り外したときに手洗い水に代えて除菌水をスパウト部３に供給する混合制御部１２を有することを特徴とする。【選択図】図１
2016156227.tif 000002
【特許請求の範囲】
【請求項１】
手洗い水を受けるボウル部を有する手洗い本体と、前記手洗い本体に着脱自在に設置されるスパウト部と、前記手洗い本体内部を通り前記スパウト部と給水源とを接続する供給水路と、前記給水源から供給された水に混合するための除菌物質を生成する生成装置と、を備え、
前記供給水路は、可撓性を有し、前記スパウト部を前記手洗い本体から取り外すと前記手洗い本体から引き出されるよう構成された延出部を有し、
前記給水源からの水に前記生成装置で生成された前記除菌物質を混合させない前記手洗い水と、前記給水源からの水に前記生成装置で生成された前記除菌物質を混合させる除菌水と、のいずれかを前記スパウト部に供給するとともに、前記手洗い本体から取り外したときに前記手洗い水に代えて前記除菌水を前記スパウト部に供給する混合制御部を有することを特徴とする手洗い装置。
【請求項２】
請求項１に記載の前記手洗い装置を設置した便器装置であって、
前記手洗い装置は、上端部に前記手洗い本体が配置されるように、便器ユニットの後部に設置されることを特徴とする便器装置。
【発明の詳細な説明】
【技術分野】
【０００１】
本発明は、手洗い装置および便器装置に関する。より詳細には、除菌水を吐出できる手洗い装置およびその手洗い装置が設置された便器装置に関する。
【背景技術】
【０００２】
従来、便器ユニットと、便器ユニットの後部に設けられた手洗い装置と、を備えた便器装置が知られている（例えば特許文献１参照）。
【０００３】
ここで、手洗い装置は、ボウル部を有する手洗い本体と、手洗い本体に固定されたスパウト部と、スパウト部と給水源とを接続する供給水路と、を備える。
【先行技術文献】
【特許文献】
【０００４】
【特許文献１】特開２０１２−２４１４５３号公報
【発明の概要】
【発明が解決しようとする課題】
【０００５】
特許文献１に記載されている手洗い装置のスパウト部では、給水源からの水が吐出されるのみであり、手洗い本体を除菌する構成を有していない。そのため、従来の手洗い装置では、手洗い本体に水垢等が発生し易く、汚れてしまい易かった。
【０００６】
そして、その汚れを除去する際、スパウト部から吐出される水を用いて清掃を行っていたが、スパウト部が手洗い本体に固定されているので、清掃を行うことが困難であった。
【０００７】
本発明は上記従来の問題点に鑑みて発明したものであって、その目的とするところは、汚れを抑制できると共に清掃を行ない易い、手洗い装置およびそれを用いた便器装置を提供することを課題とするものである。
【課題を解決するための手段】
【０００８】
上記課題を解決するために、本発明は、以下のような構成とする。
【０００９】
手洗い水を受けるボウル部を有する手洗い本体と、前記手洗い本体に着脱自在に設置されるスパウト部と、前記手洗い本体内部を通り前記スパウト部と給水源とを接続する供給水路と、前記給水源から供給された水に混合するための除菌物質を生成する生成装置と、を備え、前記供給水路は、可撓性を有し、前記スパウト部を前記手洗い本体から取り外すと前記手洗い本体から引き出されるよう構成された延出部を有し、前記給水源からの水に前記生成装置で生成された前記除菌物質を混合させない前記手洗い水と、前記給水源からの水に前記生成装置で生成された前記除菌物質を混合させる除菌水と、のいずれかを前記スパウト部に供給するとともに、前記手洗い本体から取り外したときに前記手洗い水に代えて前記除菌水を前記スパウト部に供給する混合制御部を有することを特徴とする。
【００１０】
上記した手洗い装置を設置した便器装置であって、前記手洗い装置は、上端部に前記手洗い本体が配置されるように、便器ユニットの後部に設置されることを特徴とする。
【発明の効果】
【００１１】
本発明の手洗い装置では、手洗い本体に所定の範囲内移動可能に設置されるスパウト部から除菌水が吐出されるので、手洗い本体の構成部材に容易に除菌水をかけることできると共に、構成部材の汚れを抑制できる。
【００１２】
本発明の便器装置では、除菌水を吐出できるスパウト部を手洗い本体から外して延ばせるので、手洗い本体や便器ユニットのボウル部といった構成部材を除菌水により清掃することができる。
【図面の簡単な説明】
【００１３】
【図１】図１は本実施形態の手洗い装置の概略図である。
【図２】図２は本実施形態の手洗い装置の斜視図である。
【図３】図３Ａは本実施形態の手洗い装置における延出部を示したスパウト部付近の要部拡大断面図であり、図３Ｂは延出部の変形例を示したスパウト部付近の要部拡大断面図である
【図４】図４Ａは本実施形態の手洗い装置を用いた便器装置の斜視図であり、図４Ｂはその便器装置の分解斜視図である。
【発明を実施するための形態】
【００１４】
以下、本発明の実施形態について添付した図面に基づいて説明する。
【００１５】
本実施形態の手洗い装置１は、図１に示されるように、手洗い水を受けるボウル部２５を有する手洗い本体２と、手洗い本体２に着脱自在に設置されるスパウト部３と、を備える。
【００１６】
また、手洗い装置１は、手洗い本体２内部を通りスパウト部３と給水源９０とを接続する供給水路４を備える。ここで、給水源９０は、本実施形態では、水道であるが、特に限定されるものではない。
【００１７】
手洗い装置１では、以下の記載において、スパウト部３が、図２に示すように、手洗い本体２に取付けられている状態を基準とする。
【００１８】
また、手洗い装置１では、図２に示すように、スパウト部３が取付けられる側を後側Ｂ、その反対を前側Ｆとする。そして、手洗い装置１では、スパウト部３に相対したときを基準として、右側Ｒと左側Ｌを定義する。
【００１９】
手洗い本体２は、本実施形態では、図２に示すように、底壁部２１と、四方を囲むように設けられた壁部２２と、を有する。手洗い本体２は、樹脂製であることが好ましいが、限定されるものではなく、金属製や琺瑯製であってもよい。
【００２０】
壁部２２は、図２に示すように、底壁部２１の前端部に設けられる前壁部２２１と、底壁部２１の後端部に設けられる後壁部２２２と、を有する。そして、壁部２２は、底壁部２１の左側端部に設けられる左壁部２２３と、底壁部２１の右側端部に設けられる右壁部２２４と、を有する。
【００２１】
ここで、後壁部２２２は、上下方向と平行になるように設けられ、前壁部２２１は、上下方向から前側に傾いて設けられる。
【００２２】
本実施形態では、図２に示すように、前壁部２２１よりも後壁部２２２の方が高く形成される。そのため、左壁部２２３および右壁部２２４の上端面は、後端から前端に行く程下側に位置するように傾斜する。
【００２３】
手洗い本体２の底壁部２１には、図２に示すように、石鹸等の小物を置くための載置部２３と、スパウト部３から吐水される手洗い水を操作する操作部２４と、スパウト部３から吐水される手洗い水を受けるボウル部２５と、が設けられる。
【００２４】
本実施形態の底壁部２１では、図２に示すように、載置部２３が左側端部に設けられ、操作部２４が右側端部に設けられ、ボウル部２５が載置部２３と操作部２４との間である中間部に設けられる。なお、載置部２３、操作部２４およびボウル部２５の配置は、上記した配置に限定されない。
【００２５】
載置部２３は、左壁部２２３、前壁部２２１の左側端部および後壁部２２２の左側端部から連設される。載置部２３の上面は、置かれた小物が傾かないようにするため、水平面となるように設けられる。
【００２６】
また、載置部２３の上面は、前壁部２２１の上端よりも低い位置に設けられる。このため、前壁部２２１、後壁部２２２および左壁部２２３における載置部２３の上面よりも上側の部分が、小物が手洗い本体２外に落ちないようにする壁となる。
【００２７】
操作部２４は、右壁部２２４、前壁部２２１の右側端部および後壁部２２２の右側端部から連設される。操作部２４の上面は、図２に示すように、後端から前端に行く程下側に位置するように傾斜している。その操作部２４の上面の傾斜角度は、右壁部２２４の上端面の傾斜角度と等しくなることが好ましいが、限定されない。
【００２８】
操作部２４の上面は、本実施形態では、壁部２２の上端よりも低くかつ、載置部２３よりも高い位置になるように設けられる。すなわち、操作部２４の上面における前端が載置部２３よりも高い位置になり、操作部２４の上面における後端が後壁部２２２の上端よりも低い位置になるように設けられる。
【００２９】
また、操作部２４の上面には、図２に示すように、スパウト部３から手洗い水の吐出を開始させる開始釦２４１、手洗い水の吐出を終了させる終了釦２４２、後述する除菌水を吐出させるための浄化釦２４３、等の操作釦が設けられる。なお、釦の種類は上記したものに限定されない。
【００３０】
ボウル部２５は、図２に示すように、底面部２５１と、前壁部２２１の一部であり底面部２５１の前端部から上方に起立する前面部２５２と、後壁部２２２の一部であり底面部２５１の後端部から上方に起立する後面部２５３と、を有する。そして、ボウル部２５は、底面部２５１の左側端部から上方に起立する左面部２５４と、底面部２５１の右側端部から上方に起立する右面部２５５と、を有する。
【００３１】
ボウル部２５では、左面部２５４が載置部２３の右側端部に連設され、右面部２５５が操作部２４の左側端部に連設される。
【００３２】
底面部２５１には、排水口２６が設けられる。そして、その排水口２６には、排水管１１が接続される。
【００３３】
本実施形態の手洗い本体２には、後壁部２２２にスパウト部３の基端部が収納される収納部２７が設けられる。収納部２７は、図２に示すように、後壁部２２２の内面から前方に突出して設けられる。
【００３４】
また、収納部２７は、本実施形態では、中空状に設けられ、その形状は角筒状となっているが、その形状は限定されない。そして、収納部２７には、その上端部に上方への開口が設けられる。
【００３５】
スパウト部３は、本実施形態では、図２に示すように、上方に行く程前側に位置するように湾曲して形成されるが、その形状は限定されない。また、スパウト部３は、合成樹脂製であってもよいし、金属製であってもよく、その材質は限定されない。
【００３６】
スパウト部３は、図１に示すように、その内部に形成され供給水路４から供給された水が流れる通水部３１を有する。そして、スパウト部３は、その先端部における下面に設けられ、通水部３１から流れてきた水を吐出する吐水口３２を有する。
【００３７】
また、スパウト部３の基端部には、供給水路４の下流端と通水部３１の上流端とを接続する被接続部３３が設けられる。被接続部３３は、スパウト部３を手洗い本体２に取付けたとき、収納部２７に収納される。
【００３８】
被接続部３３は、図１に示すように、スパウト部３の基端部において下方に突出して設けられる。また、被接続部３３は、その内部に通水部３１が通るため、中空状になっている。
【００３９】
供給水路４は、図１に示すように、給水源９０が接続される第１給水路４１と、第１給水路４１が接続される第２給水路４２と、を有する。
【００４０】
第１給水路４１および第２給水路４２は、金属製の管であることが好ましい。
【００４１】
また、供給水路４は、第２給水路４２と通水部３１とを接続する第３給水路４３を有する。第３給水路４３は、可撓性を有している。第３給水路は、合成樹脂製であることが好ましいが、蛇腹状に形成された金属製の蛇腹管であってもよい。
【００４２】
ここで、本実施形態の供給水路４では、給水源９０からの水が、スパウト部３へ流れるのみであるが、別の用途に用いられることも考えられる。そのため、供給水路４において、第１給水路４１を第２給水路４２だけではなく別の水路に分岐させてもよい。
【００４３】
第３給水路４３は、スパウト部３が手洗い本体２の収納部２７から取り外されると、収納部２７から引き出されるよう構成された延出部４３１を有する。ここで、延出部４３１は、本実施形態では、収納部２７から取り外されたスパウト部３を、所定の範囲内移動可能にさせる長さを有する。
【００４４】
そして、延出部４３１は、スパウト部３が収納部２７に取付けられているときは、収納部２７内に収納されている。
【００４５】
本実施形態の第３給水路４３では、図３Ａに示すように、その中間部が収納部２７の内面における後面に固定される。そして、その固定された部分より上流側が延出部４３１となる。延出部４３１は、本実施形態では、収納部２７内に折り畳まれて収納された折畳み部４３２となる。
【００４６】
本実施形態の折畳み部４３２は、下方に折り曲げられ、その折り曲げられた下端から上方へ折り曲げられる、略Ｕ字状に設けられる。そして、折畳み部４３２の下流端が被接続部３３に連結される。
【００４７】
この形状の第３給水路４３では、折畳み部４３２における下方に折り曲げられた長さの範囲内で、収納部２７の開口から折畳み部４３２が引き出される。従って、スパウト部３が収納部２７から移動できる所定の範囲は、折畳み部４３２における下方に折り曲げられた長さとなる。
【００４８】
延出部４３１は、例えば図３Ｂに示すように、螺旋状の伸縮部４３３となることが考えられる。そして、螺旋状に形成された伸縮部４３３の下流端が、被接続部３３に連結される。
【００４９】
伸縮部４３３は伸縮自在であり、螺旋状の状態から略直線状の状態になることで伸び、略直線状の状態から螺旋状の状態になることで縮む。このとき、伸縮部４３３の伸び代の長さの分だけ、収納部２７の開口から伸縮部４３３が引き出される。従って、スパウト部３が収納部２７から移動できる所定の範囲は、伸縮部４３３の伸び代の長さとなる。
【００５０】
なお、延出部４３１は、上記したものに限られず最適なものが適宜用いられる。そして、本実施形態の延出部４３１では、ボウル部２５の全面に除菌水をかけることができる長さを有する。延出部４３１によりスパウト部３が収納部２７から引き出される所定の範囲は、１０ｃｍ〜２０ｃｍであることが好ましいが、特に限定されない。
【００５１】
本実施形態の手洗い装置１は、図１，図２に示すように、スパウト部３から除菌水を吐出させるため、給水源９０から供給された水に混合するための除菌物質を生成する生成装置５を備える。生成装置５は、本実施形態では、除菌物質であるオゾンを発生させるオゾン発生装置５０であることが好ましい。
【００５２】
オゾン発生装置５０は、例えば、シリカゲル等を含んだ除湿フィルター、気体に酸素を付与して酸素濃度を高める酸素付加膜、を通して周囲大気をその内部に取り込む。そして、酸素濃度を高めた空気を高圧放電部に供給し、その空気に高電圧を付加することでオゾンを発生させる仕組みが考えられるが、オゾンを発生させる構成は限定されない。
【００５３】
本実施形態の手洗い装置１では、図１，２に示すように、第２給水路４２に生成装置５が接続される。このとき、第２給水路４２には、その内部を流れる水に除菌物質を混合させる混合部４２１が設けられる。混合部４２１は、ベンチュリ管であることが好ましいが、その構造は特に限定されない。
【００５４】
なお、生成装置５は、第２給水路４２ではなく、第１給水路４１や第３給水路４３に接続されてもよい。このとき、生成装置５が接続された管に混合部４２１が設けられる。また、生成装置５は、スパウト部３の通水部３１に接続されてもよい。
【００５５】
このように、手洗い装置１では、給水源９０から供給された水に生成装置５で生成された除菌物質を混合させない手洗い水と、給水源９０から供給された水に生成装置５で生成された除菌物質を混合させた除菌水と、を吐出できる。このとき、手洗い装置１では、一のスパウト部３において、手洗い水と除菌水とを吐出する機能を有している。
【００５６】
そして、本実施形態の手洗い装置１には、給水源９０から供給された水に対する除菌物質の混合を制御する混合制御部１２が設けられる。この混合制御部１２により、手洗い装置１では、手洗い水と除菌水との切り換えを行うことができる。
【００５７】
この混合制御部１２は、本実施形態では、スパウト部３が収納部２７から取り外されたとき、自動で給水源９０からの水に除菌物質を混合させ、スパウト部３から手洗い水に代えて除菌水を吐出させる第１の機能を有する。
【００５８】
また、混合制御部１２は、操作部２４の釦を操作されたとき、給水源９０からの水に除菌物質を混合させ、スパウト部３から手洗い水に代えて除菌水を吐出させる第２の機能を有する。
【００５９】
上記した手洗い装置１では、生成装置５で発生させた除菌物質を、給水源９０から供給された水に混合部４２１で混合させ、スパウト部３から吐出させることができる。それと共に、スパウト部３が所定の範囲内手洗い本体２から移動できるので、除菌水を手洗い本体２の隅々にかけることができる。これにより、本実施形態の手洗い装置１は、手洗い本体２の汚れを抑制できると共に清掃を行ない易い。
【００６０】
さらに、手洗い装置１では、混合制御部１２により、手洗い本体２からスパウト部３を取り外すことで、自動で手洗い水を除菌水に切り換えることができる。従って、生成装置５で生成された除菌物質を混合させるための操作をする必要がないので、より簡単に清掃を行うことができる。
【００６１】
そして、本実施形態の手洗い装置１は、例えば便器装置６に設置されることが考えられる。
【００６２】
便器装置６は、図４Ａに示すように、便器ユニット７と、便器ユニット７の後部に設置される手洗い装置１と、を備える。
【００６３】
便器ユニット７は、汚物を受けそして下水管へと流す流路を構成する便器本体７１と、便器本体７１と共に床に固定され便器本体７１を支持する便器用フレーム（図示せず）と、を備える。
【００６４】
ここで、便器本体７１は、例えばその構成として、便器ボウル７１１、リム部７１２、トラップ部（図示せず）、トラップ部と下水管を繋げる排水筒（図示せず）、を有する。
【００６５】
また、便器ユニット７は、その後側部における上端部に制御部といった機器が設置される機器設置部（図示せず）を備える。
【００６６】
そして、便器ユニット７は、便器用フレームに取付けられ便器本体７１の側方を覆うカバー部材７２と、機器設置部を覆うトップカバー７３と、を備える。また、トップカバー７３には、便座（図示せず）、便蓋（図示せず）が取付けられる。
【００６７】
ここで、カバー部材７２は、その構成として、便器ボウル７１１の側面を覆う前面カバー７２１、トラップ部の左側および右側を覆う一対の側面カバー７２２、を有する。また、カバー部材７２は、トラップ部の後側を覆う後面カバー７２３、を有する。
【００６８】
手洗い装置１は、機器設置部にその下端部が取付けられる。そして、手洗い装置１は、図４Ｂに示すように、上端部に手洗い本体２が配置されるように、便器ユニットに設置される。
【００６９】
手洗い装置１には、排水管１１、供給水路４、等の構成を前方から覆うためのフロントカバー８１が取付けられる。手洗い装置１には、設置された手洗い装置１の排水管１１、供給水路４、等の構成を後方から覆うためのバックカバー８２が取付けられる。
【００７０】
フロントカバー８１は、その下端部がトップカバー７３に取付けられ、その上端部が手洗い本体２の下端部に取付けられる。バックカバー８２は、その下端部が後面カバー７２３に取付けられ、その上端部が手洗い本体２に取付けられる。
【００７１】
この便器装置６では、図４Ｂに示すように、スパウト部３が手洗い本体２に着脱自在に設置されると共に、所定の範囲内移動可能となっている。このとき、延出部４３１により決まる所定の範囲は、スパウト部３が手洗い本体２だけでなく、便器ボウル７１１に除菌水を吐出できる長さであってもよい。
【００７２】
また、便器装置６では、手洗い装置１の排水管１１の下流端がトラップ部に接続されることが好ましい。これにより、スパウト部３から吐出され手洗い本体２のボウル部２５で受けた手洗い水は、排水口２６を介して排水管１１を流れ、トラップ部を通って下水管へと流れる。
【００７３】
上記した便器装置６では、スパウト部３から除菌水が吐出できるので、手洗い本体２の汚れを抑制できる。そして、便器装置６では、スパウト部３を手洗い本体２から外して延ばせるので、手洗い本体２や便器ボウル７１１といった構成部材の清掃を行なうことができる。
【００７４】
本実施形態の手洗い装置１は以下の構成を備える。
【００７５】
手洗い装置１は、手洗い水を受けるボウル部２５を有する手洗い本体２と、手洗い本体２に着脱自在に設置されるスパウト部３と、手洗い本体２内部を通りスパウト部３と給水源９０とを接続する供給水路４と、を備える。手洗い装置１は、給水源９０から供給された水に混合するための除菌物質を生成する生成装置５を備える。供給水路４は、可撓性を有し、スパウト部３を手洗い本体２から取り外すと手洗い本体２から引き出されるよう構成された延出部４３１を有する。手洗い装置１では、給水源９０からの水に生成装置５で生成された除菌物質を混合させない手洗い水と、給水源からの水に生成装置５で生成された除菌物質を混合させる除菌水と、のいずれかをスパウト部３に供給する。さらに、手洗い装置１は、手洗い本体２から取り外したときに手洗い水に代えて除菌水をスパウト部３に供給する混合制御部１２を有することを特徴とする。
【００７６】
これにより、手洗い本体２の汚れを抑制できると共に清掃を行ない易くなる。さらに、生成装置５で生成された除菌物質を混合させるための操作をする必要がないので、より簡単に清掃を行うことができる。
【００７７】
本実施形態の手洗い装置１を用いた便器装置６は以下の構成を備える。
【００７８】
便器装置６では、手洗い装置１が、上端部に手洗い本体２が配置されるように、便器ユニット７の後部に設置されることを特徴とする。
【００７９】
これにより、スパウト部３を手洗い本体２から外して延ばせるので、手洗い本体２や便器ボウル７１１といった構成部材の清掃を行なうことができる。
【符号の説明】
【００８０】
１    手洗い装置
１２  混合制御部
２    手洗い本体
３    スパウト部
４    供給水路
４３１  延出部
５    生成装置
６    便器装置
７    便器ユニット
９０  給水源
【図１】
2016156227.tif 000003
【図２】
2016156227.tif 000004
【図３】
2016156227.tif 000005
【図４】
2016156227.tif 000006